(57)【要約】      （修正有）【課題】化学発光体を用いた立位する形状をした発光表示具を提供する。【解決手段】発光表示具１は立位できるように比較的剛性の高いジョイント２の底部の中心に対して１２０度間隔で３本の長尺の化学発光体３を斜めに挿入している。発光表示具１は立位できるため道路等に容易に設置でき、自動車後方の離れた位置にも設置することが出来る上、立体的な形状のため視認性が向上する。更に、発光表示具１は自動車の窓等への取付けも可能であるため、強風等により路上への設置が困難な環境においても利用できる。【選択図】図１
0003179527.tif 000002
【実用新案登録請求の範囲】
【請求項１】
ジョイントと化学発光体を含む棒状体を組み合わせ、前記棒状体の脚により立位することを特徴とする発光表示具。
【請求項２】
前記棒状体が全て化学発光体からなることを特徴とする請求項１記載の発光表示具。
【請求項３】
前記棒状体の一部あるいは全体に空洞部を有し、前記空洞部に化学発光体を有することを特徴とする請求項１記載の発光表示具。
【請求項４】
吸盤で固定できることを特徴とする請求項２または請求項３記載の発光表示具。
【考案の詳細な説明】
【技術分野】
【０００１】
本考案は、化学発光反応によって発光する化学発光体を利用した発光表示具に関する。
【背景技術】
【０００２】
従来、化学発光体として、内側容器に第１の液剤を封入し、この内側容器と外側容器との間に第２の液剤を入れ、細長い棒状の外側容器を折り曲げることで、内側容器を破割し、第１の液剤と第２の液剤とを混合させて化学発光させるものが知られている。この従来の化学発光体は、コンサートやお祭りの玩具、非常灯、また釣具として広く用いられている。
【０００３】
また、発光表示具としては、実登第３０２８３０８号公報に提示されている化学発光体入りカプセルと吸盤付きの接続器具を組み合わせて自動車の後部ガラスに直接取り付ける装置がある。
【先行技術文献】
【特許文献】
【０００４】
実登第３０２８３０８号公報
【考案の概要】
【考案が解決しようとする課題】
【０００５】
しかしながら、実登第３０２８３０８号公報「自動車用非常停止表示装置」における発光表示具は吸盤で取り付けるため自動車の窓ガラスに直接取り付ける方法しかなく、視認性の点で不十分であった。
【０００６】
本考案は、上記の問題に鑑みてなされたもので、化学発光体を用いた立位する形状をした発光表示具を提供する。
【課題を解決するための手段】
【０００７】
上記の問題を解決する為に、化学発光体を含む棒状体をジョイントと組み合わせて立位できるようにした発光表示具とした。
【０００８】
また、吸盤が付いているので、発光表示具は自動車の窓等に取付けることも可能である。
【考案の効果】
【０００９】
本考案によれば、発光表示具は化学発光体を含む棒状体をジョイントと組み合わせることで、立位できるため道路等に容易に設置でき、自動車後方の離れた位置にも設置することが出来る上、立体的な形状のため視認性が向上する。
【００１０】
更に、発光表示具は自動車の窓等への取付けも可能であるため、強風等により路上への設置が困難な環境においても利用できる。
【考案を実施するための形態】
【００１１】
（実施の形態）
本考案の実施の形態に係る発光表示具を図面に基づいて説明する。
図１ないし図２は本考案の実施の形態の一例を示すものである。発光表示具１は立位できるように比較的剛性の高いジョイント２の底部の中心に対して１２０度間隔で３本の長尺の化学発光体３を斜めに挿入している。
【００１２】
本実施例の形態では、化学発光体３には長さ約３８０ｍｍ、直径約１５ｍｍのものを使用している。また、発光表示具１は高さ約３１０ｍｍ、接地面（三角形）の一辺が約４００ｍｍのサイズとなっている。
【００１３】
本実施例の形態ではジョイント２は図３に示すように、化学発光体３が嵌められるように挿入口５が３箇所形成されており、化学発光体３を挿脱可能としたものである。ジョイント２には合成樹脂が使用されている。
【００１４】
図４に示す化学発光体３は、第１の液剤Ｌ１と第２の液剤Ｌ２とを混合することで化学発光反応によって化学発光させるものである。図４に示す化学発光体３は、外側容器６、内側容器７を備えている。
【００１５】
外側容器６は、両端が閉塞されることで水密性を有する略円筒状に形成された硬質樹脂製の容器である。この外側容器６は、例えば、ＰＥ（ポリエチレン）やＰＰ（ポリプロピレン）などで形成することができる。
【００１６】
内側容器７は、両端が閉塞されることで水密性を有すると共に、破割性を有する略円筒状に形成された容器である。この内側容器７は、例えば、ガラスなどで形成することができる。
【００１７】
ここで、化学発光体３に封入されている第１の液剤Ｌ１と第２の液剤Ｌ２について詳細に説明する。化学発光体３には、第１の液剤Ｌ１と第２の液剤Ｌ２とが別々に収納されている。第１の液剤Ｌ１は、内側容器７に封入されている。第２の液剤Ｌ２は、外側容器６と内側容器７との間に封入されている。
【００１８】
第１の液剤Ｌ１は、シュウ酸エステル、蛍光物質および溶媒を含有した蛍光液である。第２の液剤Ｌ２は、過酸化水素を必須成分とした酸化液である。
【００１９】
本実施例では液剤Ｌ１は蛍光液、液剤Ｌ２は酸化液であるが、液剤Ｌ１が酸化液、液剤Ｌ２が蛍光液でも構わない。
【００２０】
次に、本実施の形態１に係る発光表示具１の使用方法について、図面に基づいて説明する。
まず、図４に示す化学発光体３の両端を両方の手で把持して、軽く折り曲げる。
【００２１】
内側容器７が破割することで、内側容器７に封入された第１の液剤Ｌ１が流出して内側容器７と外側容器６との間の第２の液剤Ｌ２と混合する。第１の液剤Ｌ１と第２の液剤Ｌ２とが混合することで化学発光反応によって化学発光が始まる。
【００２２】
全ての化学発光体３を発光させたら、それぞれを図３に示すジョイント２の挿入口５に図５のように嵌めこむ。
【００２３】
発光した状態の全ての化学発光体３をジョイント２に嵌め込むことで、発光表示具１は図１ないし図２のように三脚形状になるので、自動車の後方等必要な場所に容易に設置できる。
【００２４】
また、ジョイントには吸盤が付いているので、発光表示具１は自動車のガラス窓等に取り付けることも可能である。
【００２５】
本実施例では３本の化学発光体を用いているが、４本以上用いてもよい。また、１本乃至２本のみを化学発光体にして、残りは棒状体のものを使用することも可能である。
【００２６】
また、本実施例では化学発光体そのものが棒状体であるが、棒状体の一部あるいは全体に空洞部を設け、前記空洞部に化学発光体を挿入して利用することも可能である。
【図面の簡単な説明】
【００２７】
【図１】本考案の発光表示具の実施の形態を示す正面図
【図２】本考案の発光表示具の実施の形態を示す背面図
【図３】本考案の発光表示具に使用するジョイントの側面図
【図４】本考案の発光表示具に使用する化学発光体の断面図
【図５】本考案の発光表示具の分解斜視図
【符号の説明】
【００２８】
１  発光表示具
２  ジョイント
３  化学発光体
４  吸盤
５  挿入口
６  外側容器
７  内側容器
【図１】
0003179527.tif 000003
【図２】
0003179527.tif 000004
【図３】
0003179527.tif 000005
【図４】
0003179527.tif 000006
【図５】
0003179527.tif 000007
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
化学発光体を備えた棒状体を１本以上含む棒状体を３本以上有すると共に、各々の棒状体が嵌合される挿入口を有するジョイントを備えたことを特徴とする発光表示具。
【請求項２】
前記化学発光体を備えた棒状体が棒状の化学発光体からなることを特徴とする請求項１記載の発光表示具。
【請求項３】
前記化学発光体を備えた棒状体において、一部あるいは全体に空洞部を有し、前記空洞部に化学発光体を有することを特徴とする請求項１記載の発光表示具。
【請求項４】
ジョイントに吸盤が備えられていることを特徴とする請求項１、請求項２または請求項３記載の発光表示具。